(57)【要約】      （修正有）【課題】道路の遮断時において、遮断バーを片持ちで支持し、回動しないように固定する遮断機を提供する。【解決手段】遮断機は、道路の一方に設けた支柱６と、該支柱に垂直軸回りに回動自在に設けた遮断バー７と、該遮断バーを、道路に対し、直交させた時に、遮断バーを回動しないように固定するロック機構部とよりなり、ロック機構部は、支柱に回動自在に垂下して設けると共に、遮断バーの基部を覆うように設けた被押し上げ部材１４と、該被押し上げ部材に設けた、遮断バーの上端縁に嵌合可能な凹部とよりなり、被押し上げ部材は、遮断バーを、道路側に回動した時に、遮断バーの基部が、被押し上げ部材を、裏側から前方に押圧できる位置に設けられると共に、凹部は、該遮断バーが道路に対して直交した時に、遮断バーの上端縁が嵌合する位置に設けられる。【選択図】図９
0003225544.tif 000002
【実用新案登録請求の範囲】
【請求項１】
道路の一方の側に設けた支柱と、
該支柱に、垂直軸回りに回動自在に設けた遮断バーと、
該遮断バーを、上記道路に対して、直交させた時に、上記遮断バーを回動しないように固定するロック機構部とよりなり、
上記ロック機構部は、上記支柱に、上記道路方向を向く軸回りに、回動自在に垂下して設けると共に、上記遮断バーの基部を覆うように設けた被押し上げ部材と、
該被押し上げ部材に設けた、上記遮断バーの上端縁に嵌合可能な凹部とよりなり、
上記被押し上げ部材は、上記遮断バーを、道路側に回動した時に、上記遮断バーの基部が、上記被押し上げ部材を、裏側から前方に押圧して上方に回動させる位置に設けられると共に、
上記凹部は、該遮断バーが道路に対して直交した時に、上方に持ち上げられた上記凹部に、上記遮断バーの上端縁が嵌合する位置に設けられることを特徴とする遮断機。
【請求項２】
上記被押し上げ部材は、矩形状の板部材により形成され、その上辺が、上記道路方向に向くと共に、上記支柱に回動自在に枢支され、
上記凹部は、上記被押し上げ部材の、上記遮断バー側の面の先端部に設けた突出部材に形成されると共に、
該突出部材は、上記遮断バーが、該突出部材を押圧しながら上記凹部に嵌合するまでの被押圧部に、上記遮断バーが上記凹部まで移動できるようにするための傾斜部を有し、
上記遮断バーの、上記被押し上げ部材側の面には、上記被押し上げ部材を押圧するための、該遮断バーの先端方向に向かって延びる、斜め下方向に傾斜した押圧部材が設けられていることを特徴とする請求項１に記載の遮断機。
【請求項３】
上記遮断バーの基部の上端縁は、先端方向に向かって、斜め下方向に傾斜して形成されていることを特徴とする請求項１または２に記載の遮断機。
【請求項４】
道路の一方の側に設けた支柱に、上記道路方向を向く軸回りに、回動自在に垂下して設けると共に、該支柱に、垂直軸回りに回動自在に設けた遮断バーの基部を覆うように設けた被押し上げ部材と、
該被押し上げ部材に設けた、上記遮断バーの上端縁に嵌合可能な凹部とよりなり、
上記被押し上げ部材は、上記遮断バーを、道路側に回動した時に、上記遮断バーの基部が、上記被押し上げ部材を、裏側から前方に押圧して上方に回動させる位置に設けられると共に、
上記凹部は、該遮断バーが道路に対して直交した時に、上方に持ち上げられた上記凹部に、上記遮断バーの上端が嵌合する位置に設けられ、
上記遮断バーが、上記凹部に嵌合することにより、該遮断バーが回動しないように固定されることをする遮断機のロック機構部。
【請求項５】
上記被押し上げ部材は、矩形板状の板部材により形成され、その上辺が、上記道路方向に向くと共に、上記支柱に回動自在に枢支され、
上記凹部は、上記被押し上げ部材の、上記遮断バー側の面の先端部に設けた突出部材に形成されると共に、
該突出部材は、上記遮断バーが、該突出部材を押圧しながら上記凹部に嵌合するまでの被押圧部に、上記遮断バーが上記凹部まで移動できるようにするための傾斜部を有し、
上記遮断バーの、上記被押し上げ部材側の面には、上記被押し上げ部材を押圧するための、該遮断バーの先端方向に向かって延びる、斜め下方向に傾斜した押圧部材が設けられていることを特徴とする請求項４に記載の遮断機のロック機構部。
【請求項６】
上記遮断バーの基部の上端縁は、先端方向に向かって、斜め下方向に傾斜して形成されていることを特徴とする請求項４または５に記載の遮断機のロック機構部。
【考案の詳細な説明】
【技術分野】
【０００１】
本考案は、車両等の交通を一時的に遮断するために、水平方向に開閉（回動）する、片持ち開閉式遮断バーをロック（固定）するためのロック機構部、及び、このロック機構部を有する遮断機（遮断ゲート）に関するものである。
【背景技術】
【０００２】
高速道路等の道路を一時的に通行止めするために遮断機がある。
【０００３】
図１７は従来の遮断機を示し、１は、道路２の一方の側に設けられた一方の支柱、３は、上記支柱１に、該支柱１回りに回動自在に設けられた遮断バー、４は、上記道路２の他方の側に設けられた他方の支柱、５は、該他方の支柱４の上端に設けられた、上記遮断バー３の遊端部を支持して固定する受金具を示す。
【０００４】
上記従来の遮断機においては、上記遮断バー３の遊端部を、上記受金具５に固定することにより、該遮断バー３が回動しないように固定され、門型において、上記道路２を遮断することができる。
【０００５】
また、道路を通行可能にするためには、上記遮断バー３の遊端部を、上記受金具５から取り外し、上記遮断バー３を水平面内において回動して、上記道路２の一方の側に移動させ、そして、上記遮断バー３の遊端部を、上記道路２の一方の側に設けた支柱（図示せず）の上端に設けた受金具に支持、固定させることにより、該遮断バーが回動しないよう固定できるようになる。
【０００６】
上記門型の遮断機としては、例えば、特許文献１がある。
【先行技術文献】
【特許文献】
【０００７】
【特許文献１】特開平７−４８８１２（図２０）
【考案の概要】
【考案が解決しようとする課題】
【０００８】
しかしながら、道路によっては、道路の他方の側に支柱が設置できず、道路をまたいだ、門型の遮断機が設置できないような場合がある。
【０００９】
このような遮断機の場合、道路の遮断時において、遮断バーを片持ちで支持し、該遮断バーの基部において、該遮断バーが回動しないように固定する必要がある。
【００１０】
本考案は、簡単な構成で、道路の遮断時において、片持ちの遮断バーを固定することを目的とするものである。
【課題を解決するための手段】
【００１１】
本考案の遮断機は、道路の一方の側に設けた支柱と、該支柱に、垂直軸回りに回動自在に設けた遮断バーと、該遮断バーを、上記道路に対して、直交させた時に、上記遮断バーを回動しないように固定するロック機構部とよりなり、上記ロック機構部は、上記支柱に、上記道路方向を向く軸回りに、回動自在に垂下して設けると共に、上記遮断バーの基部を覆うように設けた被押し上げ部材と、該被押し上げ部材に設けた、上記遮断バーの上端縁に嵌合可能な凹部とよりなり、上記被押し上げ部材は、上記遮断バーを、道路側に回動した時に、上記遮断バーの基部が、上記被押し上げ部材を、裏側から前方に押圧して上方に回動させる位置に設けられると共に、上記凹部は、該遮断バーが道路に対して直交した時に、上方に持ち上げられた上記凹部に、上記遮断バーの上端縁が嵌合する位置に設けられることを特徴とする。
【００１２】
また、本考案の遮断機のロック機構部は、道路の一方の側に設けた支柱に、上記道路方向を向く軸回りに、回動自在に垂下して設けると共に、該支柱に、垂直軸回りに回動自在に設けた遮断バーの基部を覆うように設けた被押し上げ部材と、該被押し上げ部材に設けた、上記遮断バーの上端縁に嵌合可能な凹部とよりなり、上記被押し上げ部材は、上記遮断バーを、道路側に回動した時に、上記遮断バーの基部が、上記被押し上げ部材を、裏側から前方に押圧して上方に回動させる位置に設けられると共に、上記凹部は、該遮断バーが道路に対して直交した時に、上方に持ち上げられた上記凹部に、上記遮断バーの上端が嵌合する位置に設けられ、上記遮断バーが、上記凹部に嵌合することにより、該遮断バーが回動しないように固定されることをする。
【００１３】
また、上記被押し上げ部材は、矩形状の板部材により形成され、その上辺が、上記道路方向に向くと共に、上記支柱に回動自在に枢支され、上記凹部は、上記被押し上げ部材の、上記遮断バー側の面の先端部に設けた突出部材に形成されると共に、該突出部材は、上記遮断バーが、該突出部材を押圧しながら上記凹部に嵌合するまでの被押圧部に、上記遮断バーが上記凹部まで移動できるようにするための傾斜部を有し、上記遮断バーの、上記被押し上げ部材側の面には、上記被押し上げ部材を押圧するための、該遮断バーの先端方向に向かって延びる、斜め下方向に傾斜した押圧部材が設けられていることを特徴とする。
【００１４】
また、上記遮断バーの基部の上端縁は、先端方向に向かって、斜め下方向に傾斜して形成されていることを特徴とする。
【考案の効果】
【００１５】
本考案によれば、簡単な構成で、道路の遮断時において、片持ちの遮断バーを固定することができる。
【図面の簡単な説明】
【００１６】
【図１】本考案の遮断機の開状態の説明用正面図である。
【図２】本考案の遮断機の開状態の説明用側面図である。
【図３】本考案の遮断機の閉状態の説明用正面図である。
【図４】本考案の遮断機の開から閉の説明用平面図である。
【図５】本考案の遮断機の開状態のロック機構部を説明する説明用側面図である。
【図６】本考案の遮断機の開状態のロック機構部を説明する説明用背面図である。
【図７】本考案の遮断機の開状態のロック機構部を説明する、一部を横断した説明用平面図である。
【図８】本考案の遮断機の閉状態のロック機構部を説明する説明用側面図である。
【図９】本考案の遮断機の閉状態のロック機構部を説明する説明用背面図である。
【図１０】本考案の遮断機の閉状態のロック機構部を説明する、一部を横断した説明用平面図である。
【図１１】本考案の遮断機のロック機構部の突出部材の説明用底面図である。を説明する説明用側面図である。
【図１２】本考案の遮断機のロック機構部の突出部材の説明用側面図である。を説明する説明用側面図である。
【図１３】本考案の遮断機の開状態のロック機構部の説明用側面図である。
【図１４】本考案の遮断機の遮断バーが回動中のロック機構部の説明用側面図である。
【図１５】本考案の遮断機の遮断バーが回動中のロック機構部の説明用側面図である。
【図１６】本考案の遮断機の閉状態のロック機構部の説明用側面図である。
【図１７】従来の遮断機の説明用正面図である。
【考案を実施するための形態】
【００１７】
以下図面によって本考案の実施例を説明する。
【実施例１】
【００１８】
（１．図面の概要の説明）
【００１９】
図１及び図２は、遮断バーを、道路（の進行方向）に対し平行となるように回動して、道路を開（通行可能状態）とした概略図を示し、図３は、遮断バーを、道路に対し直交するように回動して、道路を閉（遮断）とした概略図を示し、図４は、遮断バーの回動状態を示す概略図である。
【００２０】
また、図５〜図７は、道路を開とした時のロック機構部の概略図を示し、図８〜図１０は、道路を閉とした時のロック機構部の概略図を示し、図１１及び図１２は、上記ロック機構部のロック金具の概略図を示し、図１３〜図１６は、上記ロック機構部により、遮断バーが固定されるまでの過程を説明する概略図を示す。
【００２１】
（２．本考案の構成の説明）
【００２２】
本考案の遮断機は、図１〜図４に示すように、道路２の一方の側（歩道側）に垂設して設けた支柱６と、該支柱６に、遮断バー枢支部を介して、垂直軸回り回動自在に設けた遮断バー７と、該遮断バー７を道路２の方向（進行方向）に対して道路の他方の側に９０度回動して、直交させた時に、上記遮断バー７を、回動しないように固定するロック機構部８とよりなる。
【００２３】
なお、図２に示すように、９は、上記道路２の一方の側に垂設して設けた、上記支柱６から所望の距離離間して設けられた支柱、１０は、該支柱９の上端に設けられた、上記遮断バー７の遊端部を支持して固定する受金具、１１は、上記道路２の一方及び他方にそれぞれ設けられたガードレールを示し、上記道路２を上記遮断バー７により遮断しない時は、図２に示すように、道路２の進行方向に対して平行となるように回動した上記遮断バー７の遊端部を上記受金具１０により固定して、門型で、上記遮断バー７を回動しないように固定するようにする。
【００２４】
なお、上記遮断バー枢支部は、例えば、上記垂設した支柱６に設けた垂直軸１２よりなり、該垂直軸１２に、上記遮断バー７の基端部に固定された板状の遮断バー取付部材１３が回動自在に設けられるようになる。
【００２５】
なお、上記遮断バー取付部材１３を省略し、直接、上記遮断バー７の基部を、上記垂直軸１２に回動自在に設けるようにしてもよい。
【００２６】
上記ロック機構部８は、図５〜１２に示すように、上記支柱６の上部に、被押し上げ部材枢支部を介して、上記道路２の方向（進行方向）を向く軸回りに、回動自在に、垂下して設けられると共に、上記遮断バー取付部材１３（又は、遮断バー７）の基部を覆うように設けた（即ち、上記支柱６と上記被押し上げ部材１４との間に上記遮断バー取付部材１３が位置する）、矩形状の板部材よりなる被押し上げ部材１４と、該被押し上げ部材１４の、上記遮断バー７側の面に先端部（下辺部）に設けた、上記遮断バー取付部材１３の基部の上端縁に嵌合可能なロック金具１５とよりなる。
【００２７】
そして、上記被押し上げ部材１４は、上記遮断バー７を、道路側に回動した時に、上記遮断バー取付部材１３が、上記被押し上げ部材１４を、裏側から前方に押圧して、上記被押し上げ部材１４を上方に回動するように形成される。
【００２８】
上記被押し上げ部枢支部は、例えば、上記垂直軸１２に直交すると共に、上記道路２に平行に設けた回動軸２０よりなり、該回動軸２０に、上記被押し上げ部材１４の上辺部が回動自在に設けられるようになる。
【００２９】
また、図１１及び図１２に示すように、ロック金具１５は、上記被押し上げ部材１４の、上記遮断バー側の面の先端部（下辺部）に、突出して設けた、例えば、矩形板を折り曲げて形成した突出部材１６と、該突出部材１６の先端面に凹状に形成した、上記遮断バー取付部材１３の基部の上端縁に嵌合可能な凹部１７とよりなり、該凹部１７は、上記遮断バー７が道路に対して直交した時に、上方に持ち上げられた上記凹部１７に、上記遮断バー取付部材１３の上端縁が嵌合する位置に設けられるように形成される。
【００３０】
また、該突出部材１６は、上記遮断バー取付部材１３が、上記突出部材１６を押圧しながら上記凹部に嵌合するまでの被押圧部１８に、上記遮断バーが上記凹部まで移動できるようにするための傾斜部を有する。
【００３１】
また、上記遮断バー取付部材１３の、上記被押し上げ部材側の面の上部（上辺部）には、上記被押し上げ部材１４を押圧するための、上記遮断バー７の先端方向に向かって延びる、斜め下方向に傾斜した、長尺状の、断面矩形の板部材よりなる押圧部材１９を設ける。
【００３２】
該押圧部材１９により、上記被押し上げ部材１４がスムーズに押圧され、上方に回動するようなる。
【００３３】
また、必要に応じて、上記遮断バー取付部材１３の上辺を、該遮断バー７の先端方向に向かって、斜め下方向に傾斜させて形成するようにしてもよい。
【００３４】
なお、上記押圧部材１９は設けなくてもよい。
【００３５】
（３．本考案の作動の説明）
【００３６】
次に、図１、図２、図１３〜図１６を用いて、本考案の遮断機のロック機構部８の動作を説明する。
【００３７】
まず、上記道路２を上記遮断バー７により遮断しない時は、図１及び図２に示すように、道路に対して平行となるように回動した上記遮断バー７の遊端部を上記受金具１０により固定し、門型で、上記遮断バー７を回動しないように固定する（図４の（ａ））。
【００３８】
この時、上記遮断バー７は、道路の直交する側に回動せず、上記被押し上げ部材１４を押圧していないので、上記ロック機構部の被押し上げ部材１４は、図１３に示すように、重力により、垂直方向に垂下して設けられている。
【００３９】
次に、上記遮断バー７の遊端部を、上記受金具１０から解除し、上記遮断バー７を、道路２の他方の側に向かって、例えば、手等により回動させると、図１４に示すように、上記遮断バー取付部材１３の押圧部材１９の先端押圧部（押圧する部分）が、上記被押し上げ部材１４の一方の側辺（遮断バーの先端方向側の辺）の裏面（遮断バー側の面）に当接し、そして、回動する従って、該被押し上げ部材１４が前方に押圧され、これにより、上記被押し上げ部材１４が上方に回動するようになる（図４の（ｂ））。
【００４０】
更に、上記遮断バー７を回動させると、上記遮断バー取付部材１３の押圧部材１９の先端押圧部が、上記被押し上げ部材１４の下辺にまで到達し、そして、該下辺を、図１５において左側方向（遮断バー７の先端方向とは逆の方向）に移動し、そして、図１５に示すように、上記突出部材１６の傾斜した被押圧部１８を移動するようになる（図４の（ｃ）。
【００４１】
そして、上記遮断バー取付部１４の上端縁が、上記凹部１７まで移動することにより、図１６に示すように、上記遮断バー取付部材１４の上端縁が、上記凹部１７に嵌まり込むようになる（図４の（ｄ）。
【００４２】
これにより、上記遮断バー７が、回動できなくなり、上記遮断バー７が道路２に対して直交してロックされるようになる。
【００４３】
そして、上記遮断バー７のロックを解除するためには、上記被押し上げ部材１４を手等により、上方に回動させて、上記凹部１７から、上記遮断バー取付部材１３の上端縁を解除することにより、上記遮断バー７を道路２の一方の側に回動できるようになる。
【００４４】
なお、上記凹部１７の位置は、上記被押し上げ部材１４の先端辺（下辺部）の左右方向において移動可能とし、これにより、遮断バーの先端の位置を調整できるようにしてもよい。
【００４５】
本考案によれば、上記遮断バー７を９０度まで傾動させるだけで、簡単な機構で、簡単にロックできるようになる。
【符号の説明】
【００４６】
１      一方の支柱
２      道路
３      遮断バー
４      他方の支柱
５      受金具
６      支柱
７      遮断バー
８      ロック機構部
９      支柱
１０    受金具
１１    ガードレール
１２    垂直軸
１３    遮断バー取付部材
１４    被押し上げ部材
１５    ロック金具
１６    突出部材
１７    凹部
１８    被押圧部
１９    押圧部材
２０    回転軸
【図１】
0003225544.tif 000003
【図２】
0003225544.tif 000004
【図３】
0003225544.tif 000005
【図４】
0003225544.tif 000006
【図５】
0003225544.tif 000007
【図６】
0003225544.tif 000008
【図７】
0003225544.tif 000009
【図８】
0003225544.tif 000010
【図９】
0003225544.tif 000011
【図１０】
0003225544.tif 000012
【図１１】
0003225544.tif 000013
【図１２】
0003225544.tif 000014
【図１３】
0003225544.tif 000015
【図１４】
0003225544.tif 000016
【図１５】
0003225544.tif 000017
【図１６】
0003225544.tif 000018
【図１７】
0003225544.tif 000019